(57)【要約】【課題】本発明は、傾斜地の有効活用や危険な傾斜地の補強が容易にできる、傾斜地盤に設置するソーラーパネルの架台を提供する。【解決手段】複数の吸付き桟1と間柱状の板材2を用いて成型する、両端に柱脚部3を設けた長尺型枠側板4を2枚並置して、底板5とコンクリート止板6で型枠組して成るコンクリート打込み型枠架台7、該コンクリート打込み型枠架台7を傾斜地盤8の上に適切な間隔に並列調整して、コンクリート打込み型枠架台7の柱脚部3内に結合杭9を打込み、複数の母屋材10と開口部の板11を用いて、コンクリート打込み型枠架台7の下部から上部へ連続してビス12を用いて固定して、コンクリート打込み型枠架台7のコンクリートの打設孔13からコンクリート14を打設して成るソーラーパネルの架台15、該ソーラーパネルの架台15が構築できることを特徴とする傾斜地盤に設置するソーラーパネルの架台。【選択図】  図1
2020092507.tif 000002
【特許請求の範囲】
【請求項１】
複数の吸付き桟1と間柱状の板材2を用いて成型した、両端に柱脚部3を設けた長尺型枠側板4を2枚並置して、底板5とコンクリート止板6で型枠組して成るコンクリート打込み型枠架台7、該コンクリート打込み型枠架台7を傾斜地盤8の上に適切な間隔に並置調整して、コンクリート打込み型枠架台7の柱脚部3内に結合杭9を打込み、複数の母屋材10と開口部の板11を用いて、コンクリート打込み型枠架台7の下部から上部へ連続してビス12を用いて固定して、コンクリート打込み型枠架台7のコンクリートの打設孔13からコンクリート14を打設して成るソーラーパネルの架台15、該ソーラーパネルの架台15が構築できることを特徴とする傾斜地盤に設置するソーラーパネルの架台。
【請求項２】
前記、請求項１記載の複数の吸付き桟1と間柱状の板材2を用いて成型した、両端に柱脚部3を設けた長尺型枠側板4を2枚並置して、底板5とコンクリート止板6で型枠組して成るコンクリート打込み型枠架台7、該コンクリート打込み型枠架台7を傾斜地盤8の上に適切な間隔に並置調整して、連結部19に連結部材16を設けて、コンクリート打込み型枠架台7を連結して成る連結したコンクリート打込み型枠架台17、該連結したコンクリート打込み型枠架台17の柱脚部3内に結合杭9を打込み、複数の母屋材10と開口部の板11を用いて、連結したコンクリート打込み型枠架台17の下部から上部へ連続してビス12を用いて固定して、コンクリート打込み型枠架台7に設けた各々のコンクリートの打設孔13から、連結したコンクリート打込み型枠架台17内にコンクリート14を打設して成る連結したソーラーパネルの架台18、該連結したソーラーパネルの架台18が構築できることを特徴とする請求項１に記載の傾斜地盤に設置するソーラーパネルの架台。
【請求項３】
前記、請求項１記載のコンクリート打込み型枠架台7の開口部を塞ぐ、開口部の板11に複数の空気抜き孔20を空けることで、コンクリート14の流動性を高めることを特徴とする請求項１〜3に記載の傾斜地盤に設置するソーラーパネルの架台。
【発明の詳細な説明】
【技術分野】
【０００１】
本発明は、傾斜地の補強と傾斜地を有効活用する傾斜地盤に設置するソーラーパネルの架台に関する。
【背景技術】
【０００２】
従来の太陽光発電は、平坦な地盤にコンクリートの基礎上に鋼製の傾斜架台を設けてソーラーパネルを取付けたものから、仮設パイプで仮設的な傾斜架台にソーラーパネルを取付けたものまで、様々な太陽光発電の傾斜架台が造られているのが現状である。
【０００３】
他方、傾斜地を活用した太陽光発電は少なく、急傾斜地の主要な対策として法枠工・コンクリート張工・植生工で覆うことで、風雨による風化及び雨水または地下水による浸食から斜面を保護している。
【０００４】
また、自然災害で倒壊した傾斜地や土石流によって倒壊した、被災地の復興は砂防ダムや擁壁で復興しているが、何れも多額な費用が掛かるため放置している。
【０００５】
さらに、自然災害で倒壊した傾斜地や土石流によって倒壊した、被災地の復興には長い年月を必要としているのが現状である。
【０００６】
災害が多発する我国に於いて、危険が伴う傾斜地は自然災害に無防備であることは近年の災害が証明している。
【先行技術文献】
【特許文献】
【０００７】
【特許文献１】無し
【０００８】
【非特許文献１】無し
【発明の開示】
【発明が解決しようとする課題】
【０００９】
在来の太陽光発電には次の問題があった。
・従来の太陽光発電の架台は、行政の強度についての規制がなく、災害に弱く自然災害で破壊した太陽光発電の架台もあった。
・我国は山林が多く、自然災害で倒壊した傾斜地や土石流によって倒壊した、被災地の復興は砂防ダムや擁壁で復興しているが、何れも多額な費用が掛かるため放置されているのが現状である。
【００１０】
また、従来の太陽光発電の架台は、平地に造った傾斜架台にソーラーパネルを載せる工法が大半であるが、平地が少ない大切な我国の平地を太陽光発電に利用することは、自給自足の観点からも大変な問題である。
【００１１】
本発明は、上記の課題に鑑みて、自然災害で倒壊した傾斜地や土石流によって倒壊した傾斜地、さらに、危険が伴う傾斜地等の補強ができる、傾斜地盤に設置するソーラーパネルの架台を提供するものである。
【課題を解決するための手段】
【００１２】
この発明は、上記の課題を解決するためになされたもので、複数の吸付き桟と間柱状の板材を用いて成型した、両端に柱脚部を設けた長尺型枠側板を2枚並置して、底板とコンクリート止板で型枠組して成るコンクリート打込み型枠架台、該コンクリート打込み型枠架台を傾斜地盤の上に適切な間隔に並置調整して、コンクリート打込み型枠架台の柱脚部内に結合杭を打込み、複数の母屋材と開口部の板を用いて、コンクリート打込み型枠架台の下部から上部へ連続してビスを用いて固定して、コンクリート打込み型枠架台のコンクリートの打設孔からコンクリートを打設して成るソーラーパネルの架台、該ソーラーパネルの架台が構築できることを特徴とする傾斜地盤に設置するソーラーパネルの架台（請求項１）を提供する。
【００１３】
前記、請求項１記載の複数の吸付き桟と間柱状の板材を用いて成型した、両端に柱脚部を設けた長尺型枠側板を2枚並置して、底板とコンクリート止板で型枠組して成るコンクリート打込み型枠架台、該コンクリート打込み型枠架台を傾斜地盤の上に適切な間隔に並置調整して、連結部に連結部材を設けて、コンクリート打込み型枠架台を連結して成る連結したコンクリート打込み型枠架台、該連結したコンクリート打込み型枠架台の柱脚部内に結合杭を打込み、複数の母屋材と開口部の板を用いて、連結したコンクリート打込み型枠架台の下部から上部へ連続してビスを用いて固定して、コンクリート打込み型枠架台に設けた各々のコンクリートの打設孔から、連結したコンクリート打込み型枠架台内にコンクリートを打設して成る連結したソーラーパネルの架台、該連結したソーラーパネルの架台が構築できることを特徴とする請求項１に記載の傾斜地盤に設置するソーラーパネルの架台（請求項２）を提供する。
【００１４】
前記、請求項１記載のコンクリート打込み型枠架台の開口部を塞ぐ、開口部の板に複数の空気抜き孔を空けることで、コンクリートの流動性を高めることを特徴とする請求項１〜3に記載の傾斜地盤に設置するソーラーパネルの架台（請求項３）を提供する。
【発明の効果】
【００１５】
本発明の特筆すべき大きな効果を列挙する。
イ）傾斜地で太陽光発電をすることで傾斜台が不要となり傾斜地の有効活用となる。
ロ）傾斜地で太陽光発電をすることで軟弱な傾斜地を強固な傾斜地に改善ができる。
ハ）傾斜地を有効活用することで巨大な台風等の自然災害に強い太陽光発電となる。
二）傾斜地を有効活用することで太陽光発電化が低コストで全国への推進ができる。
ホ）倒壊した傾斜地や土石流で倒壊した被災地を太陽光発電によって復興ができる。
へ）全国市町村に眠る木材を大量消費することは疲弊する山村林業を活性化できる。
ト）本発明は傾斜地の角度・直線からむくりや反り等様々な傾斜地へ設置ができる。
【００１６】
以上で説明したように、請求項１に係る発明によれば、複数の吸付き桟と間柱状の板材を用いて成型した、両端に柱脚部を設けた長尺型枠側板を2枚並置して、底板とコンクリート止板で型枠組して成るコンクリート打込み型枠架台、該コンクリート打込み型枠架台を傾斜地盤の上に適切な間隔に並置調整して、コンクリート打込み型枠架台の柱脚部内に結合杭を打込み、複数の母屋材と開口部の板を用いて、コンクリート打込み型枠架台の下部から上部へ連続してビスを用いて固定して、コンクリート打込み型枠架台のコンクリートの打設孔からコンクリートを打設して成るソーラーパネルの架台、該ソーラーパネルの架台が構築できることで、傾斜地で迅速かつ安価で容易に太陽光発電ができる大きな効果が得られる。
【００１７】
請求項２に係る発明によれば、前記、請求項１記載の複数の吸付き桟と間柱状の板材を用いて成型した、両端に柱脚部を設けた長尺型枠側板を2枚並置して、底板とコンクリート止板で型枠組して成るコンクリート打込み型枠架台、該コンクリート打込み型枠架台を傾斜地盤の上に適切な間隔に並置調整して、連結部に連結部材を設けて、コンクリート打込み型枠架台を連結して成る連結したコンクリート打込み型枠架台、該連結したコンクリート打込み型枠架台の柱脚部内に結合杭を打込み、複数の母屋材と開口部の板を用いて、連結したコンクリート打込み型枠架台の下部から上部へ連続してビスを用いて固定して、コンクリート打込み型枠架台に設けた各々のコンクリートの打設孔から、連結したコンクリート打込み型枠架台内にコンクリートを打設して成る連結したソーラーパネルの架台、該連結したソーラーパネルの架台が構築できることによって、多種多様な傾斜地に対応ができるとともに、危険を伴う傾斜地盤の補強とソーラーパネルの架台が傾斜地盤に強固に固定できる、さらに、傾斜地で迅速かつ安価で容易に太陽光発電ができる大きな効果が得られる。
【００１８】
請求項３に係る発明によれば、前記、請求項１記載のコンクリート打込み型枠架台の開口部を塞ぐ、開口部の板に複数の空気抜き孔を空けることで、コンクリートの流動性を高める効果が得られる。
【発明を実施するための最良の形態】
【００１９】
以下に、本発明の実施形態は添付図面を参照しつつ詳細に説明する。
【００２０】
図１は、本発明に係る傾斜地盤に設置するソーラーパネルの架台。図２は、図1のA部の拡大図。図３は、ソーラーパネルの架台の実施図。図4は、コンクリート打込み型枠架台の横断面詳細図。図5は、ソーラーパネルの架台の平面詳細図。図6は、図3のA部の拡大図。図7は、図3のA部柱脚部の断面詳細図。図8は、ソーラーパネルの架台の断面詳細図。図9は、連結したコンクリート打込み型枠架台の伏図。図10は、連結したソーラーパネルの架台の伏図。図11は、反った傾斜地盤に設置した連結した架台の姿図。図12は、傾斜地盤に設置した2連結した架台の姿図。図13は、むくった傾斜地盤に設置した2連結した架台の姿図。図14は、反った傾斜地盤に設置した2連結した架台の姿図である。
【００２１】
本発明の実施形態を図面で説明すれば、図１は、図3に示したソーラーパネルの架台15を連結部材16で、連結して成る連結したソーラーパネルの架台18の実施図で、コンクリート打込み型枠架台7の柱脚部3部分の高低差調整ツボ掘り22をした傾斜地盤8に、2台のコンクリート打込み型枠架台7を据置、連結部19の連結部材16で固定して成る連結したコンクリート打込み型枠架台17、該連結したコンクリート打込み型枠架台17の上に、複数の母屋材10と開口部の板11を用いて、連結したコンクリート打込み型枠架台17の下部から上部へ連続してビス12を用いて固定して、連結したコンクリート打込み型枠架台17内に、コンクリート14を打設してソーラーパネル21を取付けて、連結したソーラーパネルの架台18を構築した、傾斜地盤に設置するソーラーパネルの架台の実施図である。
【００２２】
図2は、図1のA部を拡大した図1のA部の拡大図である。
【００２３】
図３は、ソーラーパネルの架台15を拡大したソーラーパネルの架台の実施図である。
【００２４】
図4は、コンクリート打込み型枠架台の横断面詳細図である。
【００２５】
図5は、ソーラーパネルの架台の平面詳細図である。
【００２６】
図6は、図3のA部の拡大図である。
【００２７】
図7は、図3のA部柱脚部の断面詳細図である。
【００２８】
図8は、ソーラーパネルの架台の断面詳細図である。
【００２９】
図9は、連結したコンクリート打込み型枠架台の伏図である。
【００３０】
図10は、連結したソーラーパネルの架台の伏図である。
【００３１】
図11は、反った傾斜地盤に設置した連結した架台の姿図である。
【００３２】
図12は、傾斜地盤に設置した2連結した架台の姿図である。
【００３３】
図13は、むくった傾斜地盤に設置した2連結した架台の姿図である。
【００３４】
図14は、反った傾斜地盤に設置した2連結した架台の姿図である。
【００３５】
以上、図面について説明したが、本発明は、従来のように多目的に利用ができる、大切な平坦な地盤に傾斜架台を造ってソーラーパネルを載せる太陽光発電から、傾斜架台を必要としない、傾斜地の有効活用や傾斜地の保護・補強ができる、高度な技能を必要とすることなく、多能工でも容易に且つ安価に構築できる傾斜地で発電をすることを目的としたものである。
【００３６】
さらに、本発明で使用する間柱状の板材は間伐材が使用できることから、疲弊する山村林業の活性化に貢献ができる。
【実施例１】
【００３７】
傾斜地盤に設置するソーラーパネルの架台を構成する、コンクリート打込み型枠架台7の製作について図3を参照に実施例を説明する。間柱状の板材2の寸法30ｍｍ×120ｍｍ×3,000ｍｍと吸付き桟1の断面寸法30ｍｍ×50ｍｍについて、以下寸法は省略する。コンクリート打込み型枠架台7の側板は、2枚の間柱状の板材2と両端各々に長さ600ｍｍの2枚の間柱状の板材2を並置して、吸付き桟1で600ｍｍ間隔に接着固定して成る長尺型枠側板4を300ｍｍ巾に並置して、12ｍｍ厚の底板5とコンクリート止板6を用いて、図4に示した形状のコンクリート打込み型枠架台7に型枠組成型をする。
【実施例２】
【００３８】
実施例１に示した、複数のコンクリート打込み型枠架台7を傾斜地盤8へ並置して、コンクリート打込み型枠架台7の柱脚部3の設置面を高低差調整ツボ掘り22でレベル調整をして、コンクリート打込み型枠架台7の連結部3に連結部材16を用いて、図9に示す連結したコンクリート打込み型枠架台17を構成する。該連結したコンクリート打込み型枠架台17を構成する、コンクリート打込み型枠架台7各々の柱脚部3内に、螺旋杭26又は鋼管杭27等の結合杭9を打込み、複数の母屋材10と開口部の板11を用いて、連結したコンクリート打込み型枠架台17の下部から、上部へ連続してビス12を用いて固定する。さらに、図10に示した、連結したコンクリート打込み型枠架台17各々のコンクリートの打設孔13から、コンクリート14を打設して成る連結したソーラーパネルの架台18、該連結したソーラーパネルの架台18の上に、ソーラーパネル21を固定して発電を行う傾斜地盤に設置するソーラーパネルの架台。
【実施例３】
【００３９】
実施例１に示した、複数のコンクリート打込み型枠架台7を傾斜地盤8へ並置して、コンクリート打込み型枠架台7の柱脚部3の設置面を高低差調整ツボ掘り22でレベル調整をして、コンクリート打込み型枠架台7の連結部3に連結部材16を用いて、図9に示す連結したコンクリート打込み型枠架台17を構成する。該連結したコンクリート打込み型枠架台17を構成する、コンクリート打込み型枠架台7各々の柱脚部3内に、螺旋杭26又は鋼管杭27等の結合杭9を打込み、複数の母屋材10と開口部の板11を用いて、連結したコンクリート打込み型枠架台17の下部から、上部へ連続してビス12を用いて固定する。さらに、図10に示した、連結したコンクリート打込み型枠架台17各々のコンクリートの打設孔13から、コンクリート14を打設して成る連結したソーラーパネルの架台18、該連結したソーラーパネルの架台18の上に、ソーラーパネル21を固定して発電を行う傾斜地盤に設置するソーラーパネルの架台。
【実施例４】
【００４０】
実施例１、2で示した、傾斜地盤に設置するソーラーパネルの架台は、発電量を20KWのソーラーパネルの架台15を単位として、20KWのソーラーパネルの架台15の増減で発電量を決定する。また、ソーラーパネルの架台15の周囲は、1,200ｍｍ程度のメンテナンス通路28を設けて、コンクリート打込み型枠架台7の木部の防蟻・防腐処理やソーラーパネル21のメンテナンスを行う。傾斜面のメンテナンス通路28は、点検通路の階段25を設けてメンテナンスを行う。
【実施例５】
【００４１】
地滑りや崩壊の恐れのある傾斜地盤については、実施例2記載のコンクリート打込み型枠架台7の柱脚部3内に、打込む螺旋杭26又は鋼管杭27等の結合杭9は、強度計算に沿った強度の物を使用する。
【実施例６】
【００４２】
地滑りや崩壊の恐れのない傾斜地盤については、実施例2記載のコンクリート打込み型枠架台7の柱脚部3内に打込む結合杭9は木杭や鉄筋杭を使用する場合もある。
【実施例７】
【００４３】
むくった傾斜地盤や反った傾斜地盤等様々な傾斜地盤へ設置する、連結したソーラーパネルの架台18は、実施例2記載のコンクリート打込み型枠架台7の連結部3に連結部材16を用いて、図11〜14に示した形状の、連結したコンクリート打込み型枠架台17と連結したソーラーパネルの架台18で対応する。
【００４４】
なお、この発明において、実施例や図面に示した寸法や各部材は、一例を示したものであり、同様の機能を果たす公知の他の寸法部材に置き換えることは可能である。例えば実施例1の寸法や形状は強度等によって自由に設定ができる。また、木材に代わる材料など強度が得られるものであれば発明を支障なく実施することができる。
【産業上の利用可能性】
【００４５】
我国は山林が多く、自然災害で倒壊した傾斜地や土石流によって倒壊した、被災地の復興は砂防ダムや擁壁等で復興している。他方、急傾斜地の主要な対策として法枠工・コンクリート張工・植生工で覆うことで、風雨による風化や雨水又は地下水による浸食から斜面を保護しているのが現状であるが、何れも多額な費用が掛かるため復旧が進まないのが現状である。本発明は、上記に鑑み、上記の傾斜地盤、さらに、むくった傾斜地盤や反った傾斜地盤等様々な傾斜地盤への設置が可能な、傾斜地盤に設置するソーラーパネルの架台を提供するもので我国の防災に大きく貢献できる。さらに、本発明の傾斜地盤に設置するソーラーパネルの架台を構成する、コンクリート打込み型枠架台に国産木材が利用できることから、国産木材の消費拡大に大きく貢献できる。また、全国市町村に眠る木材を大量消費することで疲弊する山村林業の活性化に貢献ができる。
【図面の簡単な説明】
【００４６】
【図１】本発明に係る傾斜地盤に設置するソーラーパネルの架台。
【図２】図1のA部の拡大図。
【図３】ソーラーパネルの架台の実施図。
【図４】コンクリート打込み型枠架台の横断面詳細図。
【図５】ソーラーパネルの架台の平面詳細図。
【図６】図3のA部の拡大図。
【図７】図3のA部柱脚部の断面詳細図。
【図８】ソーラーパネルの架台の断面詳細図。
【図９】連結したコンクリート打込み型枠架台の伏図。
【図１０】連結したソーラーパネルの架台の伏図。
【図１１】反った傾斜地盤に設置した連結した架台の姿図。
【図１２】傾斜地盤に設置した連結した架台の姿図。
【図１３】むくった傾斜地盤に設置した2連結した架台の姿図。
【図１４】反った傾斜地盤に設置した2連結した架台の姿図。
【符号の説明】
【００４７】
・  吸付き桟
・  間柱状の板材
・  柱脚部
・  長尺型枠側板
・  底板
・  コンクリート止板
・  コンクリート打込み型枠架台
・  傾斜地盤
・  結合杭
・  母屋材
・  開口部の板
・  ビス
・  コンクリートの打設孔
・  コンクリート
・  ソーラーパネルの架台
・  連結部材
・  連結したコンクリート打込み型枠架台
・  連結したソーラーパネルの架台
・  連結部
・  空気抜き孔
・  ソーラーパネル
・  高低差調整ツボ掘り
・  むくった傾斜地盤
・  反った傾斜地盤
・  点検通路の階段
・  螺旋杭
・  鋼管杭
・  メンテナンス通路
【図１】
2020092507.tif 000003
【図２】
2020092507.tif 000004
【図３】
2020092507.tif 000005
【図４】
2020092507.tif 000006
【図５】
2020092507.tif 000007
【図６】
2020092507.tif 000008
【図７】
2020092507.tif 000009
【図８】
2020092507.tif 000010
【図９】
2020092507.tif 000011
【図１０】
2020092507.tif 000012
【図１１】
2020092507.tif 000013
【図１２】
2020092507.tif 000014
【図１３】
2020092507.tif 000015
【図１４】
2020092507.tif 000016